(57)【要約】      （修正有）【課題】使用しないときには収納し易い形態とすることができる一方で、使用時にはマスクの立体形状の保形に適した形態とすることができて、鼻孔近傍部や口部を圧迫せずに快適な呼吸空間を保つことができるマスク保形具を提供する。【解決手段】マスクの立体形状を保形するためのマスク保形具１Ａであって、所定の操作により板状からカップ状に形状が変化可能なシート状部材からなり、カップ状に形状を保持する保持手段３０を備える。また、板状からカップ状に形状を変化させる際に引き寄せられる一対の引き寄せ部分７、８を備え、保持手段は、一対の引き寄せ部分の一方側に形成される舌状部片３１と他方側に形成される保持用切込部３２との係合によりカップ状に形状を保持するように構成されている。【選択図】図２
0003229723.tif 000002
【実用新案登録請求の範囲】
【請求項１】
マスクの立体形状を保形するためのマスク保形具であって、
所定の操作により板状からカップ状に形状が変化可能なシート状部材からなり、
カップ状に形状を保持する保持手段を備えるマスク保形具。
【請求項２】
板状からカップ状に形状を変化させる際に引き寄せられる一対の引き寄せ部分を備え、
前記保持手段は、前記一対の引き寄せ部分の一方側に形成される舌状部片と他方側に形成される保持用切込部との係合によりカップ状に形状を保持するように構成されている請求項１に記載のマスク保形具。
【請求項３】
前記舌状部片には、前記保持用切込部における一方側の縁部が差込可能な短切込部が形成されている請求項２に記載のマスク保形具。
【請求項４】
顔との接触部分の要所に、折り曲げ可能にフラップ片が連設されている請求項１〜３の何れか一項に記載のマスク保形具。
【請求項５】
所要の通気口が設けられる請求項１〜４の何れか一項に記載のマスク保形具。
【請求項６】
動物又はキャラクターの顔を模した柄が付されている請求項１〜５の何れか一項に記載のマスク保形具。
【考案の詳細な説明】
【技術分野】
【０００１】
本考案は、マスクの立体形状を保形するためのマスク保形具に関する。
【背景技術】
【０００２】
近時、新型コロナウイルスの影響でマスクを装着することが多くなっている。マスクは、会話や咳、くしゃみの際に飛沫が飛散するのを抑制する効果がある。
【０００３】
特許文献１には、繊維不織布等のシートから形成されたマスク本体と、マスク本体の両側縁から環状に延びる一対の耳掛け部とを備え、マスク本体においてシートを折り重ねた重畳部分からなる複数の襞部（プリーツ）を有するマスクが開示されている。このような構成のマスクによれば、使用者の顔の大きさに応じてマスク本体を上下方向に伸長させることにより、鼻頭部、口部及び顎部をマスク本体で覆うことができるので、捕集対象の粒子等の漏れ込みを防ぐことができるとともに、使用者自身の呼気をマスク本体以外の箇所から直接外部に排出しないようにすることができる。
【０００４】
特許文献２には、保形性及び可撓性を有する椀状シートからなる中央突出部分を有する突出型マスクインナーが開示されている。使用に際しては、この突出型マスクインナーを鼻頭部、口部及び顎部を覆うように装着し、装着した突出型マスクインナーの上からマスクを装着する。こうすることにより、突出型マスクインナーの中央突出部分によって、鼻孔近傍部及び口部と、マスクとの間に呼吸空間が形成される。
【先行技術文献】
【特許文献】
【０００５】
【特許文献１】特開２０１７−１４６５９号公報
【特許文献２】特開２０００−２８８１０９号公報
【考案の概要】
【考案が解決しようとする課題】
【０００６】
特許文献１に係るマスクでは、鼻孔近傍部及び口部がマスク本体によって圧迫されるため、息苦しく、長時間使用すると蒸れてしまうという問題がある。
【０００７】
特許文献２に係る突出型マスクインナーでは、マスクとの間に装着することで呼吸空間が形成されるので、マスクを装着しても呼吸が楽であるとともに、長時間マスクを使用しても蒸れ難くなるものの、中央が突出した形状に形成されているため、使用しないときに鞄等に収納し難いという問題がある。
【０００８】
本考案は、上記の課題に鑑みてなされたものであり、使用しないときには収納し易い形態とすることができる一方で、使用時にはマスクの立体形状の保形に適した形態とすることができて、鼻孔近傍部や口部を圧迫せずに快適な呼吸空間を保つことができるマスク保形具を提供することを目的とする。
【課題を解決するための手段】
【０００９】
上記課題を解決するための本考案に係るマスク保形具の特徴構成は、
マスクの立体形状を保形するためのマスク保形具であって、
所定の操作により板状からカップ状に形状が変化可能なシート状部材からなり、
カップ状に形状を保持する保持手段を備えることにある。
【００１０】
本構成のマスク保形具によれば、所定の操作により板状からカップ状に形状が変化可能なシート状部材からなり、カップ状に形状を保持する保持手段を備える構成とされる。使用しないときには板状の形態とする。これにより、鞄等に収納し易くなる。一方、使用時には、所定の操作により板状からカップ状に形状を変化させ、カップ状の形状を保持手段によって保持する。こうして、マスクの立体形状の保形に適した形態とする。これにより、鼻孔近傍部や口部を圧迫せずに快適な呼吸空間を保つことができる。従って、マスクを装着しても呼吸が楽であるとともに、マスクを長時間使用しても蒸れ難くなる。
【００１１】
本考案に係るマスク保形具において、
板状からカップ状に形状を変化させる際に引き寄せられる一対の引き寄せ部分を備え、
前記保持手段は、前記一対の引き寄せ部分の一方側に形成される舌状部片と他方側に形成される保持用切込部との係合によりカップ状に形状を保持するように構成されていることが好ましい。
【００１２】
本構成のマスク保形具によれば、板状からカップ状に形状を変化させる際に引き寄せられる一対の引き寄せ部分を備えている。保持手段は、一対の引き寄せ部分の一方側に形成される舌状部片と他方側に形成される保持用切込部との係合によりカップ状に形状を保持するように構成されている。このような構成により、マスク保形具のシート状からカップ状への形状の切り換え、及びカップ状からシート状への形状の切り換えを、舌状部片と保持用切込部との係合及び係合解除によって容易に行うことができる。従って、鞄等に収納し易い形態と、マスクの立体形状の保形に適した形態とを、簡易な操作で切り換えることができる。
【００１３】
本考案に係るマスク保形具において、
前記舌状部片には、前記保持用切込部における一方側の縁部が差込可能な短切込部が形成されていることが好ましい。
【００１４】
本構成のマスク保形具によれば、保持用切込部における一方側の縁部が差込可能な短切込部が舌状部片に形成されている。このような構成において、保持用切込部における一方側の縁部を、舌状部片における短切込部に差し込むように操作して、保持用切込部における一方側の縁部と、舌状部片における短切込部の奥側部分とを突き当て、突き当て部分を支点として、舌状部片を保持用切込部への差込方向に回動させることにより、保持用切込部に舌状部片を容易に差し込むことができ、舌状部片と保持用切込部とを容易に係合状態とすることができる。
【００１５】
本考案に係るマスク保形具において、
顔との接触部分の要所に、折り曲げ可能にフラップ片が連設されていることが好ましい。
【００１６】
本構成のマスク保形具によれば、顔との接触部分の要所に、折り曲げ可能にフラップ片が連設されている。このような構成により、マスクと顔との間にマスク保形具が装着される際に、折り曲げられたフラップ片が顔の起伏に沿って顔に接触することになり、マスク保形具の顔へのタッチがソフトになり、マスク保形具を長時間快適に使用することができる。
【００１７】
本考案に係るマスク保形具において、
所要の通気口が設けられることが好ましい。
【００１８】
本構成のマスク保形具によれば、所要の通気口を通して呼吸が行われるとともに、所要の通気口を通してマスク内の湿った空気が排気されるので、呼吸がより楽になるとともに、マスク内が蒸れるのを確実に防ぐことができる。
【００１９】
本考案に係るマスク保形具において、
動物又はキャラクターの顔を模した柄が付されていることが好ましい。
【００２０】
本構成のマスク保形具によれば、動物又はキャラクターの顔を模した柄が付されていることにより、使用者を視覚的に楽しませることができるとともに、商品価値をさらに向上させることができる。
【図面の簡単な説明】
【００２１】
【図１】図１は、本考案の第一実施形態に係るマスク保形具の使用状態を示し、（ａ）は通常使用の場合の正面図、（ｂ）は逆さま使用の場合の正面図である。
【図２】図２は、本考案の第一実施形態に係るマスク保形具の外観を示し、（ａ）は板状の形態の正面図、（ｂ）はカップ状の形態の斜視図である。
【図３】図３は、本考案の第一実施形態に係るマスク保形具の板状の形態の要部を示し、（ａ）は図２（ａ）のＡ部拡大図、（ｂ）は図２（ａ）のＢ部拡大図である。
【図４】図４は、本考案の第一実施形態に係るマスク保形具の形状をカップ状に保持する保持手段の操作説明図である。
【図５】図５は、本考案の第一実施形態に係るマスク保形具のカップ状の形態を示し、（ａ）は通常使用の場合の正面図、（ｂ）は逆さま使用の場合の正面図である。
【図６】図６は、本考案の第二実施形態に係るマスク保形具の板状の形態を示し、動物の顔を模した柄が付されている状態の正面図である。
【考案を実施するための形態】
【００２２】
以下、本考案について、図面を参照しながら説明する。ただし、本考案は、以下に説明する実施形態や図面に記載される構成に限定されることは意図しない。なお、以下の説明において、前後左右上下方向は、本考案に係るマスク保形具を使用者が後述する通常使用で使用する際の前後左右上下方向に一致させている。
【００２３】
〔第一実施形態〕
＜マスク保形具の概略説明＞
図１は、本考案の第一実施形態に係るマスク保形具の使用状態を示し、（ａ）は通常使用の場合の正面図、（ｂ）は逆さま使用の場合の正面図である。図１（ａ）に示すように、通常使用の場合には、後述する保持手段３０によってカップ状の形状に保持されたマスク保形具１Ａを、後述する所定の向きで、鼻孔の下側で口部及び顎部を覆うように顔に被せて、その上からマスクＭを装着して使用する。図１（ｂ）に示すように、逆さま使用の場合には、後述する保持手段３０によってカップ状の形状に保持されたマスク保形具１Ａを、後述する所定の向きで、鼻頭及び口部を覆うように顔に被せて、その上からマスクＭを装着して使用する。
【００２４】
マスクＭは、繊維不織布等のシートから形成されたマスク本体Ｍａと、マスク本体Ｍａの両側縁から環状に延びる一対の耳掛け部Ｍｂとを備えて構成されている。マスク本体Ｍａは、シートを折り重ねた重畳部分からなる複数の襞部（プリーツ）Ｍｃを有している。このような構成のマスクＭにおいては、使用者の顔の大きさに応じてマスク本体Ｍａを上下方向に伸長させることにより、鼻頭部、口部及び顎部をマスク本体Ｍａで覆うことができる。マスク保形具１Ａは、マスク本体Ｍａと顔との間に介挿されて、鼻孔近傍部及び口部と、マスク本体Ｍａとの間に呼吸空間が形成されるように、マスク本体Ｍａが鼻頭部、口部及び顎部を覆った状態の立体形状を保持する。
【００２５】
＜マスク保形具の構成＞
図２は、本考案の第一実施形態に係るマスク保形具の外観を示し、（ａ）は板状の形態の正面図、（ｂ）はカップ状の形態の斜視図である。図２（ａ）及び（ｂ）に示すように、マスク保形具１Ａは、後述する所定の操作により、図２（ａ）に示す板状から図２（ｂ）に示すカップ状（截頭円錐状）に形状が変化可能な、例えば、ポリエチレン、ポリエステル、ポリ塩化ビニル、ポリプロピレン、ゴム等の適度な弾性を有する材料からなるシート状部材で構成されている。
【００２６】
図２（ａ）に示す板状の形態のマスク保形具１Ａは、鉛直軸線Ｓに沿って、例えば、罫押し刃により線状に凹むように付された中央押罫３を基準に左右に翼状に延在する一対の上側翼形状部５，６を有している。
【００２７】
＜引き寄せ部分＞
一対の上側翼形状部５，６には、下方に進むに従って幅が狭くなるとともに、下方に進むに従って鉛直軸線Ｓに近づくように湾曲する形状の一対の下側翼形状部７，８が一体的に連設されている。一対の上側翼形状部５，６と一対の下側翼形状部７，８との間には、下方に開口された中央開口部１０が形成されている。一対の下側翼形状部７，８は、マスク保形具１Ａを、図２（ａ）に示す板状から図２（ｂ）に示すカップ状に形状を変化させる操作の際に引き寄せられる一対の引き寄せ部分として機能する。
【００２８】
＜通気口＞
一対の上側翼形状部５，６には、一対の小通気口１１，１２と、小通気口１１，１２よりも開口面積が大きい一対の大通気口１３，１４とが穿設されている。一対の小通気口１１，１２は、中央押罫３を挟むように配置されている。一対の大通気口１３，１４は、中央押罫３を挟み、且つ一対の小通気口１１，１２の外側に位置するように配置されている。一対の小通気口１１，１２、及び一対の大通気口１３，１４は何れも、雫形状に開口されている。一対の小通気口１１，１２、及び一対の大通気口１３，１４は、雫形状の開口の向きが互い違いとなるように配置されている。
【００２９】
＜フラップ片＞
各上側翼形状部５，６の上辺部には、円弧状に突出した上側フラップ片２１，２２が一体的に設けられている。上側翼形状部５，６と上側フラップ片２１，２２との境界には、押罫２３，２４が付されている。上側フラップ片２１，２２は、押罫２３，２４が付された箇所で容易に折り曲げ可能とされている。各上側翼形状部５，６の上辺部と外側辺部との交わりの角部には、山状に突出した角部フラップ片２５，２６が一体的に設けられている。上側翼形状部５，６と角部フラップ片２５，２６との境界には、押罫２７，２８が付されている。角部フラップ片２５，２６は、押罫２７，２８が付された箇所で容易に折り曲げ可能とされている。
【００３０】
＜保持手段＞
図２（ｂ）に示すカップ状の形状にマスク保形具１Ａを保持するための保持手段３０は、図２（ａ）において、一対の下側翼形状部７，８のうちの一方側の下側翼形状部７に形成される舌状部片３１と、他方側の下側翼形状部８に形成される複数の保持用切込部３２とを備えている。保持手段３０においては、使用者の顔の大きさに応じて、複数の保持用切込部３２のうちから適宜に選択される一つの保持用切込部３２と、舌状部片３１との係合で一対の下側翼形状部７，８が係止されることにより、マスク保形具１Ａの形状をカップ状に保持することができるように構成されている。
【００３１】
図３は、本考案の第一実施形態に係るマスク保形具の板状の形態の要部を示し、（ａ）は図２（ａ）のＡ部拡大図、（ｂ）は図２（ａ）のＢ部拡大図である。
【００３２】
＜舌状部片＞
図３（ａ）に示すように、舌状部片３１は、基部４１、括れ部４２及び先端部４３が一体的に連設されてなるものである。基部４１は、舌状部片３１において最も幅広に形成されている。括れ部４２は、基部４１と先端部４３との境界において一対の先鋭凹部５１，５２が両側に設けられることで形成される。括れ部４２には、一対の先鋭凹部５１，５２のうちの一方側の先鋭凹部５１の奥側に比較的短い長さ（例えば、１ｍｍ程度）の短切込部５５がその一方側の先鋭凹部５１と連続するように形成されている。舌状部片３１の先端部４３は、両側に張り出した一対の張出部６１，６２と、先端側に進むに従って次第に幅が狭くなるような角丸台形状部６５とを有している。
【００３３】
舌状部片３１において、基部４１の幅寸法をＷ１とし、先端部４３における一対の張出部６１，６２が設けられる部分の幅寸法をＷ２とし、括れ部４２における一対の先鋭凹部５１，５２が設けられる部分の幅寸法をＷ３とした場合、本例では、Ｗ１＞Ｗ２＞Ｗ３の関係に設定されている。
【００３４】
＜保持用切込部＞
図３（ｂ）に示すように、複数の保持用切込部３２は、下側翼形状部８の先端側（下端側）に向かって所定間隔をあけて配設されている。各保持用切込部３２は、横切込部７１と、一対の斜切込部７２，７３とから構成されている。横切込部７１は、下側翼形状部８の幅方向に延在するように下側翼形状部８に形成されている。一対の斜切込部７２，７３は、下側翼形状部８の先端側に進むに従って下側翼形状部８の幅方向外側に広がるように横切込部７１の両側から斜めに延在するように下側翼形状部８に形成されている。下側翼形状部８において、一対の斜切込部７２，７３の間で横切込部７１に沿って延在する可動部片７４は、保持用切込部３２を開く方向（図３の紙面を垂直に貫く方向）に弾性変形可能とされている。
【００３５】
図３（ａ）において、一対の張出部６１，６２のうちの他方側の張出部６２と角丸台形状部６５との境界と、短切込部５５の奥側先端との距離をＬ１とする。また、図３（ｂ）において、横切込部７１の長さ寸法をＬ２とする。この場合、本例では、Ｗ２＞Ｌ１≒Ｌ２の関係に設定されている。
【００３６】
以上に述べたように構成されるマスク保形具１Ａにおいて、図２（ａ）に示す板状から図２（ｂ）に示すカップ状に形状を変化させてカップ状の形態に保持する操作について、主に、図４を用いて説明する。
【００３７】
図４は、本考案の第一実施形態に係るマスク保形具の形状をカップ状に保持する保持手段の操作説明図である。
【００３８】
図４（ａ）に示すように、互いに引き寄せた一対の下側翼形状部７，８において、下側翼形状部８の上に下側翼形状部７を重ね合わせ、舌状部片３１の先端部４３を可動部片７４に押し付けて保持用切込部３２を開き、開いた箇所に角丸台形状部６５の一方（図４（ａ）において上側）の角丸部分を先に差し込んでいく。
【００３９】
図４（ｂ）に示すように、舌状部片３１の先端部４３における一方側の張出部６１が保持用切込部３２を通して差し込まれる一方で、他方側の張出部６２が未だ保持用切込部３２を通して差し込まれずに露出している状態において、下側翼形状部８における保持用切込部３２の一方側の縁部７５を、舌状部片３１における短切込部５５に差し込むように操作することにより、縁部７５と、短切込部５５の奥側部分とを突き当てる。
【００４０】
距離Ｌ１（図３（ａ）参照）と長さＬ２と（図３（ｂ）参照）とは略等しい値に設定されているので、保持用切込部３２に対し、舌状部片３１を、図４（ｂ）に示すように、他方側の張出部６２と角丸台形状部６５との境界位置まで容易に差し込むことができる。
【００４１】
図４（ｂ）〜（ｃ）に示すように、縁部７５と、短切込部５５の奥側部分との突き当て部分を支点として、舌状部片３１の先端部４３を保持用切込部３２への差込方向に回動させて、舌状部片３１の先端部４３における他方側の張出部６２を保持用切込部３２の開いた箇所に差し込む。このとき、下側翼形状部８における保持用切込部３２の他方側の縁部７６に張出部６２が押し付けられながら、張出部６２が保持用切込部３２に差し込まれていき、張出部６２は弾性変形しながら保持用切込部３２を通過し、保持用切込部３２を通過すると、張出部６２は元の形に戻る。こうして、保持用切込部３２に舌状部片３１を容易に差し込むことができ、舌状部片３１と保持用切込部３２とを容易に係合状態とすることができる。
【００４２】
幅寸法Ｗ２（図３（ａ）参照）と長さＬ２（図３（ｂ）参照）とは、Ｗ２＞Ｌ２の関係に設定されている。このため、図４（ｃ）に示すような係合状態においては、舌状部片３１における両側の張出部６１，６２が、下側翼形状部８の裏面における保持用切込部３２の両側部分に引っ掛かった状態になる。また、幅寸法Ｗ１（図３（ａ）参照）と長さＬ２（図３（ｂ）参照）とは、Ｗ１＞Ｌ２の関係に設定されている。このため、図４（ｃ）に示すような係合状態においては、舌状部片３１における基部４１の両側部の先端が、他方側の下側翼形状部８の表面における保持用切込部３２の両側部分に当接した状態になる。従って、図４（ｃ）に示すような係合状態では、保持用切込部３２に対し舌状部片３１が抜き差しできずに、一対の下側翼形状部７，８が係止される。これにより、マスク保形具１Ａの形状が保持手段３０によってカップ状に保持されることになる。
【００４３】
図５は、本考案の第一実施形態に係るマスク保形具のカップ状の形態を示し、（ａ）は通常使用の正面図、（ｂ）は逆さま使用の正面図である。保持手段３０によってカップ状の形状に保持されたマスク保形具１Ａにおいては、図５（ａ）に示すように、一対の上側翼形状部５，６の内周縁部と、一対の下側翼形状部７，８の内周縁部とによって中央通気口８０が区画形成される。
【００４４】
通常は、図５（ａ）に示すように、保持手段３０の舌状部片３１と保持用切込部３２とが係合された部分を下側に位置させて、図１（ａ）に示すように、保持手段３０によってカップ状の形状に保持されたマスク保形具１Ａを、鼻孔の下側で口部及び顎部を覆うように顔に被せて、その上からマスクＭを装着して使用する。このとき、必要に応じて、上側フラップ片２１，２２及び角部フラップ片２５，２６を前方に向けてそれぞれ折り曲げて使用する（後述する逆さま使用においても同様）。これにより、折り曲げられた上側フラップ片２１，２２及び角部フラップ片２５，２６が顔の起伏に沿って顔に接触することになり、マスク保形具１Ａの顔へのタッチがソフトになり、マスク保形具１Ａを長時間快適に使用することができる。
【００４５】
図１（ａ）及び図５（ａ）に示すような通常使用の場合、鼻孔からの呼気は、マスク保形具１Ａの外表面に当たって、マスク保形具１Ａの外形形状に沿って両側に広がりながら前方へと流れ、マスク本体Ｍａを通過して外部に排出される。口部からの呼気は、中央通気口８０、一対の小通気口１１，１２及び一対の大通気口１３，１４を通って前方へと流れ、マスク本体Ｍａを通過して外部に排出される。吸気の際には、外部からの空気が、マスク本体Ｍａを通過し、マスク保形具１Ａの外表面に沿って鼻孔へと流れ、及び／又は、中央通気口８０、一対の小通気口１１，１２及び一対の大通気口１３，１４を通って口部へと流れ、鼻孔、及び／又は口部から肺へと取り込まれる。こうして、鼻孔近傍部や口部がマスク本体Ｍａで圧迫されることなく、鼻孔近傍部及び口部とマスク本体Ｍａとの間に快適な呼吸空間がマスク保形具１Ａによって形成される。従って、マスクＭを装着しても呼吸が楽であるとともに、マスクＭを長時間使用しても蒸れ難くなる。
【００４６】
図５（ａ）に示す通常使用以外に、図５（ｂ）に示す逆さま使用がある。図５（ｂ）に示す逆さま使用では、保持手段３０の舌状部片３１と保持用切込部３２とが係合された部分を上側に位置させて、図１（ｂ）に示すように、保持手段３０によってカップ状の形状に保持されたマスク保形具１Ａを、鼻頭及び口部を覆うように顔に被せて、その上からマスクＭを装着して使用する。
【００４７】
図１（ｂ）及び図５（ｂ）に示すような逆さま使用の場合、鼻孔及び口部からの呼気の一部は、下部に位置する一対の小通気口１１，１２を通り、マスク本体Ｍａとの密着度が比較的低い顎部周辺から下方へと流れて、外部へと排気される。この逆さま使用では、図５（ａ）に示す通常使用よりも呼気の排気効率を向上させることができる。従って、例えば、運動時等のように、呼気が優位となる際に、図５（ｂ）に示す逆さま使用とすれば、呼吸をスムーズに行うことができるとともに、放熱効果により熱中症予防を図ることができる。
【００４８】
マスク保形具１Ａを使用しないときには、図４（ａ）、（ｂ）及び（ｃ）のこの記載順に示す手順の逆の手順を実施することにより、保持用切込部３２から舌状部片３１を抜き出して保持手段３０の係合状態を解除し、図２（ａ）に示す板状の形態とする。これにより、鞄等に収納し易くなる。さらに、図２（ａ）に示す板状の形態のマスク保形具１Ａを、中央押罫３を基準に二つ折りにすることにより、よりコンパクトに折り畳むことができ、ポケット等に容易に収納することができる。
【００４９】
〔第二実施形態〕
図６は、本考案の第二実施形態に係るマスク保形具の板状の形態を示し、動物の顔を模した柄が付されている状態の正面図である。第二実施形態において、第一実施形態と同一又は同様のものについては、図に同一符号を付すに留めてその詳細な説明を省略することとし、以下においては、第二実施形態に特有の部分を中心に説明することとする。
【００５０】
第二実施形態に係るマスク保形具１Ｂにおいては、板状の形態における少なくとも一方側の板面に動物の本例では猫の顔を模した柄が付されている。それ以外については、第一実施形態のマスク保形具１Ａと同様の構成である。第二実施形態のマスク保形具１Ｂによれば、動物の猫の顔を模した柄が付されていることにより、使用者を視覚的に楽しませることができるとともに、商品価値をさらに向上させることができる。
【００５１】
なお、マスク保形具１Ｂに付す柄として、猫の顔を例示したが、これに限定されるものではなく、例えば、犬や熊等の動物の顔を模した柄を付すようにしてもよい。また、実際の動物に限定されるものではなく、小説、漫画、映画、アニメ、コンピュータゲーム、広告等のフィクションに登場する人物や動物等のキャラクターを模した柄を付す態様もある。
【００５２】
以上、本考案のマスク保形具について、複数の実施形態に基づいて説明したが、本考案は上記実施形態に記載した構成に限定されるものではなく、その趣旨を逸脱しない範囲において適宜その構成を変更することができるものである。
【産業上の利用可能性】
【００５３】
本考案のマスク保形具は、マスクの立体形状を保形して、呼吸空間を形成する用途において利用可能である。
【符号の説明】
【００５４】
１Ａ，１Ｂ  マスク保形具
７，８      下側翼形状部（引き寄せ部分）
１１，１２  小通気口
１３，１４  大通気口
２１，２２  上側フラップ片
２５，２６  角部フラップ片
３０        保持手段
３１        舌状部片
３２        保持用切込部
５５        短切込部
８０        中央通気口
Ｍ          マスク
【図１】
0003229723.tif 000003
【図２】
0003229723.tif 000004
【図３】
0003229723.tif 000005
【図４】
0003229723.tif 000006
【図５】
0003229723.tif 000007
【図６】
0003229723.tif 000008